(57)【要約】【課題】コストを抑え、組み立て工数の増加を招くことなく筐体の閉状態を検知することが可能な電子機器を提供する。【解決手段】携帯電話が、第１の筐体１０１と、第１の筐体１０１と開閉自在に連結され、第１の筐体１０１に対して閉じられた場合に、第１の筐体１０１が備えるアプリキー１０３ｄを押下する凸部１０６を有する第２の筐体１０２と、アプリキー１０３ｄの押下を検知する検知部と、アプリキー１０３ｄの押下時間が所定の時間以上であるか否かを判定する判定部と、判定部の判定の結果、アプリキー１０３ｄの押下時間が所定の時間以上である場合に、第１の筐体１０１と第２の筐体１０２とが閉状態であることを検知する制御部と、を備える。【選択図】図１
2008244876.tif 000002
【特許請求の範囲】
【請求項１】
第１の筐体と、
前記第１の筐体と開閉自在に連結され、前記第１の筐体に対して閉じられた場合に、前記第１の筐体が備える第１のキーを押下する押下部を有する第２の筐体と、
前記第１のキーの押下を検知する検知部と、
前記第１のキーの押下時間が所定の時間以上であるか否かを判定する判定部と、
前記判定部の判定の結果、前記第１のキーの押下時間が所定の時間以上である場合に、前記第１の筐体と前記第２の筐体とが閉状態であることを検知する制御部と、を備える電子機器。
【請求項２】
開閉自在に連結された第２の筐体に対して閉じられた場合に、該第２の筐体により押下される押下部が形成されている第１のキーを有する第１の筐体と、
該第１の筐体と開閉自在に連結された第２の筐体と、
前記第１のキーの押下を検知する検知部と、
前記第１のキーの押下時間が所定の時間以上であるか否かを判定する判定部と、
前記判定部の判定の結果、前記キーの押下時間が所定の時間以上であると判定された場合に、前記第１の筐体と前記第２の筐体とが閉状態であることを検知する制御部と、を備える電子機器。
【請求項３】
前記制御部により、前記第１の筐体と前記第２の筐体との閉状態が検知された場合に、前記第１のキーの押下による入力を無効とする無効部を備える請求項１又は２に記載の電子機器。
【請求項４】
前記第１の筐体が、所定時間以上押下されることにより前記第１の筐体と前記第２の筐体との閉状態の検知以外の所定の機能を起動させる第２のキーを有し、
前記第１のキーは、前記第２のキー以外のキーである請求項１から３のいずれか１項に記載の電子機器。
【発明の詳細な説明】
【技術分野】
【０００１】
本発明は、開閉可能な複数の筐体を有する電子機器に関する。
【背景技術】
【０００２】
従来、複数の筐体が開閉自在である携帯電話などの電子機器が知られている。このような電子機器として、例えば、フォルダタイプの携帯電話、２軸ヒンジ式の携帯電話、フリップタイプの携帯電話などが知られている。
【０００３】
複数の筐体が開閉自在であるこれらの電子機器では、例えば、筐体が開状態である場合は、メインＬＣＤ（Ｌｉｑｕｉｄ  Ｃｒｙｓｔａｌ  Ｄｉｓｐｌａｙ、以下、単にＬＣＤという。）を点灯させ、筐体が閉状態である場合は、サブＬＣＤを点灯させる制御などを行うために、筐体の開閉状態を検知する技術が必要となる。
【０００４】
ここで、図６を参照して、従来のフォルダタイプの携帯電話の開閉検知機構について説明する。図６は、従来のフォルダタイプの携帯電話の概略図である。
【０００５】
図６に示されるように、従来の携帯電話は、テンキーなどの操作部を備える第１の筐体６０１と、メインＬＣＤ６０４を備える第２の筐体６０２とが、ヒンジ部６０５により互いに開閉自在に構成されている。
【０００６】
そして、第１の筐体６０１には、磁気センサ６０６が設けられ、第２の筐体６０２には、マグネット６０７が設けられている。
【０００７】
図６に示される従来の携帯電話は、第１の筐体６０１と、第２の筐体６０２とが閉状態の場合、磁気センサ６０６がマグネット６０７の磁力を検知することにより、閉状態を検知する。そして、閉状態の場合、図６に示される従来の携帯電話は、第２の筐体６０２に設けられているメインＬＣＤ６０４を消灯し、第２の筐体６０２に設けられているサブＬＣＤ（不図示）を点灯する。
【０００８】
他方、図６に示される従来の携帯電話は、第１の筐体６０１と、第２の筐体６０２とが開状態（図６に示される状態）の場合、磁気センサ６０６がマグネット６０７の磁力を検知しないことにより、開状態を検知する。そして、開状態の場合、図６に示される従来の携帯電話は、第２の筐体６０２に設けられているメインＬＣＤ６０４を点灯し、第２の筐体６０２に設けられているサブＬＣＤ（不図示）を消灯する。
【０００９】
また、開閉検知機構を備えた他の従来技術として、特許文献１に記載の技術では、用紙搬送装置の操作部の開閉を検知するために２つのタクトスイッチのオン、オフを検知している。
【００１０】
また、特許文献２に記載の技術は、携帯電話機における磁石を有するデバイスの磁力を磁気センサにより検知して開閉検知を行うとしている。
【００１１】
さらに、特許文献３に記載の技術は、撮像装置の画像情報に基づいてデバイスの開閉状態を検知するとしている。
【特許文献１】特開平９−３０４９８３号公報
【特許文献２】特開２００２−１２５０２５号公報
【特許文献３】特開２００５−３４８０６２号公報
【発明の開示】
【発明が解決しようとする課題】
【００１２】
しかしながら、従来の開閉検知機構では、磁気センサとマグネット等の部品が必要であり、コストが高くなると共に、組み立て工数が増大するという問題点を有する。
【００１３】
また、特許文献１に記載の技術では、操作部の開閉動作により、２つのタクトスイッチをアクチュエータによりオンオフさせる機構が必要であり、コストが高くなると共に、組み立て工数が増大するという問題点を有する。
【００１４】
また、特許文献２に記載の技術では、筐体の開閉を検知するために磁気センサが必要となり、コストが高くなると共に、組み立て工数が増大するという問題点を有する。
【００１５】
また、特許文献３に記載の技術では、開閉を検知するための撮像装置を設ける必要があり、コストが高くなると共に、組み立て工数が増大するという問題点を有する。
【００１６】
本発明は、上記事情に鑑みなされたもので、コストを抑え、組み立て工数の増加を招くことなく筐体の閉状態を検知することが可能な電子機器を提供することにある。
【課題を解決するための手段】
【００１７】
本発明の電子機器は、第１の筐体と、前記第１の筐体と開閉自在に連結され、前記第１の筐体に対して閉じられた場合に、前記第１の筐体が備える第１のキーを押下する押下部を有する第２の筐体と、前記第１のキーの押下を検知する検知部と、前記第１のキーの押下時間が所定の時間以上であるか否かを判定する判定部と、前記判定部の判定の結果、前記第１のキーの押下時間が所定の時間以上である場合に、前記第１の筐体と前記第２の筐体とが閉状態であることを検知する制御部と、を備える。
【００１８】
本発明の電子機器は、開閉自在に連結された第２の筐体に対して閉じられた場合に、該第２の筐体により押下される押下部が形成されている第１のキーを有する第１の筐体と、該第１の筐体と開閉自在に連結された第２の筐体と、前記第１のキーの押下を検知する検知部と、前記第１のキーの押下時間が所定の時間以上であるか否かを判定する判定部と、前記判定部の判定の結果、前記キーの押下時間が所定の時間以上であると判定された場合に、前記第１の筐体と前記第２の筐体とが閉状態であることを検知する制御部と、を備える。
【００１９】
また、本発明の電子機器は、前記制御部により、前記第１の筐体と前記第２の筐体との閉状態が検知された場合に、前記第１のキーの押下による入力を無効とする無効部を備える。
【００２０】
また、本発明の電子機器は、前記第１の筐体が、所定時間以上押下されることにより前記第１の筐体と前記第２の筐体との閉状態の検知以外の所定の機能を起動させる第２のキーを有し、前記第１のキーは、前記第２のキー以外のキーである。
【発明の効果】
【００２１】
このように、本発明によれば、コストを抑え、組み立て工数の増加を招くことなく筐体の閉状態を検知することができる。
【発明を実施するための最良の形態】
【００２２】
［第１の実施形態］
以下、図面を参照して、本発明の電子機器の第１の実施形態について説明する。図１は、本発明の電子機器の第１の実施形態である携帯電話の概略図である。図１は、フォルダタイプの携帯電話である。図１に示されるように、本発明の電子機器の第１の実施形態である携帯電話は、テンキーなどを含む操作部１０３を備える第１の筐体１０１と、画像などを表示するメインＬＣＤ１０４を備える第２の筐体１０２と、アドレス帳キー１０３ａや、メールキー１０３ｂや、選択決定キー１０３ｃや、アプリキー１０３ｄや、Ｗｅｂ接続キー１０３ｅや、着信キー１０３ｆや、クリアキー１０３ｇや、電源キー１０３ｈや、テンキー１０３ｉなどからなる操作部１０３と、画像を表示するメインＬＣＤ１０４と、第１の筐体１０１と第２の筐体１０２とを開閉自在に連結するヒンジ部１０５とを備える。
【００２３】
ここで、アドレス帳キー１０３ａとは、電話番号などのアドレスデータを参照するためのキーである。メールキー１０３ｂとは、押下されることにより、メールの作成アプリケーションが起動されるキーである。選択決定キー１０３ｃとは、処理やアプリケーションなどを選択するためのキーである。アプリキー１０３ｄとは、押下されることにより、ユーザが設定した所定のアプリケーションが起動されるキーである。Ｗｅｂ接続キー１０３ｅとは、インターネットに接続するためのキーである。着信キー１０３ｆとは、着信があった場合に通話を開始（オフフック）するためのキーである。クリアキー１０３ｇとは、入力を訂正したり処理を１つ前に戻すためのキーである。電源キー１０３ｈとは、所定時間以上押下が継続（長押しともいう）されることにより、電源オンと電源オフとを切り換えるキーである。テンキー１０３ｉとは、数字などを入力するためのキーである。
【００２４】
なお、図１に示される携帯電話の操作部１０３は、長押しにより所定の処理が実行されるキーを電源キー１０３ｈ以外にも有しているとしても良い。例えば、メールキー１０３ｂやＷｅｂ接続キー１０３ｅなどが長押しにより所定の処理が実行されるとしても良い。
【００２５】
また、第２の筐体１０２は、メインＬＣＤ１０４が形成された面であって、第１の筐体１０１に閉じられた場合に、第１の筐体に対向する面に、凸部１０６を備える。
【００２６】
凸部１０６は、メインＬＣＤ１０４の脇部に形成されている。そして、凸部１０６は、メインＬＣＤ１０４上において、第１の筐体１０１と第２の筐体１０２とが閉じられた場合に凸部１０６がアプリキー１０３ｄを押下する位置に形成されている。
【００２７】
凸部１０６は、第１の筐体１０１と第２の筐体１０２とが閉じられた場合に、アプリキー１０３ｄを押下して、これらのスイッチをオンとするに十分な高さを有している。凸部１０６は、樹脂等の第１の筐体１０１と第２の筐体１０２と同じ材料で形成されていても良いし、ゴムなどの他の種類の材料で形成されていても良い。
【００２８】
次に、図１に示される携帯電話が閉じられた状態について図２を参照して説明する。図２は、図１に示される携帯電話が閉じられた状態の概略図である。図２に示されるように、第１の筐体１０１と第２の筐体１０２とは、ヒンジ部１０５を中心として回動し、互いに重ね合わされて閉状態となる。また、第２の筐体１０２の外面側にはサブＬＣＤ２０１が設けられている。このサブＬＣＤ２０１には、閉状態にて、例えば受信感度を示すピクト表示２０２などの情報が表示される。
【００２９】
次に、図１に示される携帯電話の機能について図３を参照して説明する。図３は、図１に示される携帯電話の機能ブロック図である。図３に示されるように、携帯電話は、筐体の開閉状態の検知など携帯電話全体の動作の制御を行う制御部３０１と、キーの押下の有無を検知する検知部３０２と、所定のキーの押下時間が所定の時間以上であるか否かを判定する判定部３０３と、キーの入力を無効とする無効処理部３０４と、携帯電話の開状態及び閉状態に応じた処理を行う開閉処理部３０５と、情報を記憶する記憶部３０６とを備える。
【００３０】
なお、図３に示される各部の機能のうち、少なくともいずれか１つの部の機能は、ＣＰＵがメモリに格納に格納されたプログラムと協働することにより実現されるとして良い。
【００３１】
次に、図１に示される携帯電話の開閉処理動作について図４を参照して説明する。図４は、図１に示される携帯電話の開閉処理動作のフローチャートである。
【００３２】
図４に示されるように、まず、携帯電話は、アプリキー１０３ｄが押下され、オンとなっているか否かを検知する（Ｓ４０１）。そして、アプリキー１０３ｄが押下され、オンとなっている状態であれば（ＹＥＳ）、処理はＳ４０２に移行し、アプリキー１０３ｄが押下されていない状態であり、オフ状態となっていれば（ＮＯ）、開閉処理動作を終える。
【００３３】
Ｓ４０２では、携帯電話は、アプリキー１０３ｄが押下されてからのアプリキー１０３ｄの押下時間が連続して所定時間以上であるか否かを判定する。この所定時間として、本実施形態では５秒とするが、この所定時間は５秒に限定されるものではなく、５秒よりも長くすることもできるし、短くすることもできる。
【００３４】
そして、アプリキー１０３ｄの押下時間が所定時間以上である場合（ＹＥＳ）、処理は、Ｓ４０３に移行し、アプリキー１０３ｄの押下時間が所定時間以上でない場合（ＮＯ）、開閉処理動作は終わる。
【００３５】
次に、Ｓ４０３において、携帯電話は、筐体の閉状態を検知する。次に、Ｓ４０４において、携帯電話は、押下されオンとなったアプリキー１０３ｄの入力を無効とする。
【００３６】
次に、Ｓ４０５において、携帯電話は、携帯電話の閉処理を行う。この閉処理としては、例えば、メインＬＣＤを消灯させ、サブＬＣＤを点灯させる処理などがある。
【００３７】
次に、Ｓ４０６において、携帯電話は、押下されオンになっていたアプリキー１０３ｄオフ状態となったか否かを判定する。そして、押下されオンになっていたアプリキー１０３ｄがオフとなった場合、処理は、Ｓ４０７に移行する。
【００３８】
そして、Ｓ４０７において、携帯電話は、アプリキー１０３ｄがオフとなったことにより、筐体が開状態となったことを検知して、次に、Ｓ４０８において、携帯電話の開処理を行う。この開処理としては、例えば、メインＬＣＤを点灯させ、サブＬＣＤを消灯させる処理などがある。
【００３９】
以上のように、本発明の電子機器の第１の実施形態である携帯電話によれば、携帯電話の筐体の閉状態を、アプリキー１０３ｄが押下されてオン状態となった時間が所定の時間以上であるか否かにより判定している。
【００４０】
したがって、本発明の電子機器の第１の実施形態である携帯電話は、閉状態を検知するための磁石や磁気センサ、アクチュエータなどが不要となり、低コストになると共に、組み立て工数が増加することを防止することができる。
【００４１】
また、本発明の電子機器の第１の実施形態である携帯電話は、アプリキー１０３ｄの押下が所定時間以上であれば、アプリキー１０３ｄの入力を無効として、アプリキー１０３ｄの押下に基づいて閉状態を検知して閉処理を行うため、例えば、アプリキー１０３ｄの押下により所定のアプリケーションが起動した場合であっても、これらの機能を無効とすることができ、筐体を閉じた場合に、ユーザの意図していない動作の発生を防止することができる。
【００４２】
［第２の実施形態］
次に本発明の電子機器の第２の実施形態である携帯電話について図５を参照して説明する。図５は、本発明の電子機器の第２の実施形態である携帯電話の概略図であり、図５の（ａ）は開状態の携帯電話の概略図であり、図５の（ｂ）は、閉状態の携帯電話の一部概略図である。本発明の第２の実施形態の携帯電話が、前述の第１の実施形態の携帯電話と異なる点は、図５の（ａ）、（ｂ）に示されるように、凸部１０６の代わりに、アプリキー１０３ｄに、閉状態（図５の（ｂ）に示される状態）となった場合に、この閉状態を検知するために、第２の筐体１０２により押下されることによりアプリキー１０３ｄをオンとするための凸部５０１が形成されている点であり、その他の構造及び動作は、前述の図１から図４を参照して説明した第１の実施形態と同様であるため、この同様な部分の説明は省略する。
【００４３】
凸部５０１は、例えば透明なプラスチックで形成されており、アプリキー１０３ｄの表示が見えるようになっている。もっとも、凸部５０１は透明なプラスチックにより形成されている場合に限定されるものではなく、樹脂やゴムなどその他の材料により形成されていても良いし、透明でなくても良いし、また、キーの表示が凸部５０１の表面に形成されていても良い。
【００４４】
また、凸部５０１は、第１の筐体５０１の操作部１０３の平面よりも一部突出した構造となっている。
【００４５】
また、第２の筐体１０２における、凸部５０１と接する面は平坦である。
【００４６】
このように、本発明の電子機器の第２の実施形態の携帯電話は、閉状態において凸部１０６の代わりにアプリキー１０３ｄをオンとするための凸部５０１が形成されている。そのため、第１の筐体１０１と第２の筐体１０２とを閉状態とした際に、第２の筐体１０２により、アプリキー１０３ｄが押下されオンとなり、前述の図４に示されるＳ４０１以下の処理が実施されることにより、前述の第１の実施形態の携帯電話と同様の効果を得ることができる。
【００４７】
また、上記第１の実施形態及び第２の実施形態では、筐体が閉じられた場合に押下されるキーとして、アプリキー１０３ｄを用いるとしたが、本発明の電子機器はこのようなアプリキー１０３ｄを用いる場合に限定されるものではなく、長押しモードを有するキー以外のキーであれば、テンキーや選択決定キーなど他のキーを用いることもできる。
【００４８】
また、凸部１０６及び凸部５０１の形状は、上記各実施形態に示された形状に限定されるものではなく、本発明の趣旨を逸脱しない限り、四角形、ドーム形の他、円形、楕円形、三角形、円錐形、三角錐その他の多角錐形、又は、これらの任意の組み合わせの形状などを用いることができる。
【００４９】
また、本発明の電子機器の実施形態として携帯電話を一例に説明したが、本発明の電子機器としては、パソコンやＰｅｒｓｏｎａｌ  Ｄｉｇｉｔａｌ  Ａｓｓｉｓｔａｎｔ（ＰＤＡ）など、その他の電子機器であっても良い。
【００５０】
また、本発明の電子機器の実施形態の携帯電話として、フォルダタイプの携帯電話を一例に示して説明したが、本発明はこのような場合に限定されるものではなく、例えば、２軸ヒンジ式の電子機器、フリップタイプの電子機器、操作部を有する筐体と表示部を有する筐体とがほぼ水平方向に回動可能に連結される回転式の電子機器などであっても同様に実施できる。
【図面の簡単な説明】
【００５１】
【図１】本発明の電子機器の第１の実施形態である携帯電話の概略図である。
【図２】図１に示される携帯電話が閉じられた状態の概略図である。
【図３】図１に示される携帯電話の機能ブロック図である。
【図４】図１に示される携帯電話の開閉処理動作のフローチャートである。
【図５】本発明の電子機器の第２の実施形態である携帯電話の概略図である。
【図６】従来のフォルダタイプの携帯電話の概略図である。
【符号の説明】
【００５２】
１０１  第１の筐体
１０２  第２の筐体
１０３  操作部
１０３ｄ  アプリキー（第１のキー）
１０３ｈ  電源キー（第２のキー）
１０４  メインＬＣＤ
１０５  ヒンジ部
１０６  凸部（押下部）
３０１  制御部
３０２  検知部
３０３  判定部
３０４  無効処理部
３０５  開閉処理部
３０６  記憶部
５０１  凸部（押下部）
【図１】
2008244876.tif 000003
【図２】
2008244876.tif 000004
【図３】
2008244876.tif 000005
【図４】
2008244876.tif 000006
【図５】
2008244876.tif 000007
【図６】
2008244876.tif 000008